(57)【要約】【課題】情報処理装置の物理的位置関係を考慮して、画面表示制御を行なうことにより、移動方向を実際の情報処理装置の配置関係に即した画面をまたぐＧＵＩ移動表示を提供する。【解決手段】指示部５０１と、位置管理部５０４と、境界座標決定部５０８と、表示効果決定部５１０とを備え、位置管理部５０３が管理する情報処理装置毎の位置情報から、境界座標決定部５０８がＧＵＩ移動制御の目標座標を決定し、表示効果決定部５１０が目標座標に向けて連続表示する事により、画面をまたいだ情報処理装置間ＧＵＩ移動において、実際の情報処理装置の位置に即した方向を決定する事が出来る。【選択図】図５
2009288839.tif 000002
【特許請求の範囲】
【請求項１】
自身の位置に関する情報や他の物体や装置との相対的な位置、姿勢に関する情報である情報送信装置位置情報と、前記情報送信装置位置情報を送信する情報送信装置の情報送信装置位置情報を受信する情報処理装置であって、
前記情報送信装置位置情報の取得を指示する指示部と、
前記情報送信装置位置情報を前記情報送信装置から取得する事を決定する情報処理装置決定部と、
ウィンドウおよびウィンドウの内部に表示される表示物である表示オブジェクトと、
前記表示オブジェクトを表示する画面を持つ表示部と、
前記表示部が取得する、前記表示部の位置に関する情報もしくは、他の物体や装置との相対的な位置や姿勢に関する情報を取得する取得部と、
前記取得部が取得する表示部位置情報と、
前記情報送信装置を含む他の情報処理装置と通信をする通信部と、
前記表示部位置情報と前記通信部より取得した前記情報送信装置位置情報を管理する位置管理部と、
前記表示部位置情報と前記情報送信装置位置情報から前記表示オブジェクトが前記表示装部の画面外から現れる出現座標を決定する境界座標決定部と、
を備えた情報処理装置。
【請求項２】
前記境界座標決定部が、前記表示部位置情報と前記情報送信装置位置情報とを用いて、前記表示部と前記情報送信装置を結ぶ直線と前記表示部の画面との交点を前記出現座標に決定する事を特徴とした請求項１に記載の情報処理装置。
【請求項３】
前記情報処理装置は、さらに、表示効果決定部を備え、
前記表示効果決定部は、前記表示オブジェクトが配置される座標である配置座標と、
前記表示オブジェクトを、前記出現座標より現れ前記配置座標まで移動させながら表示することを特徴とする請求項１または請求項２に記載の情報処理装置。
【請求項４】
前記表示効果決定部が、前記出現座標より現れ前記配置座標まで直線移動させながら表示する事を特徴とする請求項１〜３いずれかの請求項に記載の情報処理装置。
【請求項５】
前記情報処理装置は、さらに、境界座標決定部を備え、
前記境界座標決定部は、前記表示オブジェクトが前記表示部の画面外へ出る時の座標である消失座標と、前記消失座標を前記情報送信装置位置情報と前記表示部位置情報から決定することを特徴とする請求項１に記載の情報処理装置。
【請求項６】
前記境界座標決定部は、前記表示部位置情報と前記情報送信装置位置情報から前記表示部と前記情報送信装置を結ぶ直線と前記表示部の画面との交点を前記消失座標に決定する事を特徴とする請求項５に記載の情報処理装置。
【請求項７】
前記情報処理装置は、さらに、表示効果決定部を備え、
前記表示効果決定部は、前記表示オブジェクトを、前記配置座標から前記消失座標まで移動させながら表示することを特徴とする請求項５または請求項６に記載の情報処理装置。
【請求項８】
前記表示効果決定部は、前記配置座標から前記消失座標まで直線移動させながら表示する事を特徴とする請求項５〜７のいずれかの請求項に記載の情報処理装置。
【請求項９】
前記情報処理装置は、消失検知部と、同期検知部と、を備え、
前記消失検知部は、前記表示オブジェクトの一部が前記表示装置の画面外へ出る事を検知し、
前記同期検知部は、前記表示装置の画面外へ出た表示オブジェクトの消失情報を取得し、
前記情報処理装置は、前記情報処理装置の画面上の表示オブジェクトが消失座標に達したときに、前記情報送信装置へ前記表示オブジェクト消失情報を通知し、
前記情報送信装置の表示効果決定部は、前記出現座標から前記表示オブジェクトを表示する機能を備えることを特徴とする請求項１〜８いずれかの請求項に記載の情報処理装置。
【請求項１０】
前記表示オブジェクト消失情報は、前記表示オブジェクトの前記表示装置の画面外に出ている部分の割合に関する情報を含み、
前記表示効果決定部が前記表示オブジェクト消失情報により、前記出現座標より表示される前記表示オブジェクトの表示割合を決定し表示することを特徴とした請求項９に記載の情報処理装置。
【請求項１１】
前記情報処理装置は、前記画面サイズを管理する画面サイズ管理部と、前記画面サイズ情報を用いて前記表示オブジェクトの表示サイズを決定する表示サイズ決定部とを備え、
前記取得部は、前記表示部の画面サイズを取得する機能有し、
前記情報処理装置は、前記表示部の前記画面サイズ情報を前記情報送信装置に通知し、
前記表示効果決定部は、前記消失座標にて前記表示サイズで前記表示オブジェクトを表示する特徴を備えた請求項１〜１０いずれかの請求項に記載の情報処理装置。
【発明の詳細な説明】
【技術分野】
【０００１】
本発明は情報処理装置間の画面をまたいだＧＵＩ（Ｇｒａｐｈｉｃａｌ  Ｕｓｅｒ  Ｉｎｔｅｒｆａｃｅ）の移動を行なうための情報処理装置、情報処理方法、情報処理プログラム、情報処理プログラムを記録した記録媒体および情報処理集積回路に関するものである。
【背景技術】
【０００２】
従来、パソコン、ワークステーションなどの情報処理装置が備えるＣＲＴや液晶を代表とする表示装置において、複数の表示装置にまたがってＧＵＩを表示したい場合には、図１に示す方法で実現していた。具体的には、ＧＵＩを表示オブジェクト１、２、３に分割し、各表示装置１、２、３に、分割された表示オブジェクト１、２、３をそれぞれ表示し、複数の表示装置全体で１つのＧＵＩを表示していた。
【０００３】
また、従来の情報処理装置では、各情報処理装置の表示装置に表示するための複数の表示プロセスが連携することで、表示装置をまたがる表示の変更が起こった場合でも、ずれる事なく表示更新できるようにしているものがあった。
【０００４】
図２に、上述した従来技術におけるマルチスクリーン装置を示す。図２のマルチスクリーン装置の表示装置２０１〜２０３は、左から右に順につなげられて、１つの画面を構成している。表示装置２０１〜２０３は、それぞれ、ネットワーク接続された３つの情報処理装置２０４〜２０６の表示装置である。各情報処理装置２０４〜２０６は表示制御プロセス２１０〜２１２を通して表示画像を取り込み、表示装置２０１〜２０３にそれぞれ個別にオブジェクト等の表示を行なう。このうち、情報処理装置２０４が有する表示プロセス２１０〜２１２が各表示装置で表示する表示オブジェクトを作成し、表示装置別に表示範囲を設定し、表示制御部２０７〜２０９へ転送する。
【０００５】
このような従来の技術としては、例えば特許文献１に記載されたものが知られている。
【特許文献１】特開平９−２４４８６２号公報
【発明の開示】
【発明が解決しようとする課題】
【０００６】
２０１〜２０３の様に各表示装置の距離、方向（２０１は２０２の左端に隣接、２０２は２０３左端に隣接）といった物理的な配置関係が固定であった。そのため、携帯電話といった表示装置の物理位置が固定でない情報処理装置を複数用いて、双方の画面をまたぐ表示では各情報処理装置の物理位置関係を考慮したＧＵＩ表示ができないという課題を有していた。
【０００７】
この課題について図３を用いてさらに詳しく説明する。図３において３０１、３０２は情報処理装置が搭載するＣＲＴや液晶を代表とする表示装置の画面である。３０１を実線で、３０２を点線で表し、３１１、３１２内の実線、点線で表す部分も同じ表示装置の画面を表すものとする。３１０は、３０１、３０２をまたがって１つの表示オブジェクトを表示している状態を表したものである。３１１、３１２はそれぞれ、３０１、３０２の物理位置が変わった場合の表示例を表したものであり、３１１は、３０１、３０２の実際の物理位置にそぐわない表示例、３１２は、３０１、３０２の実際の物理位置に沿った表示例を示している。
【０００８】
従来技術を用いることにより３１０の様に、画面をまたいだ表示をすることが可能である。しかし、次のような課題がある。３０１、３０２の物理的な位置が変る場合、従来技術では、３１１に示す様な表示画面となる。これは、表示装置３０１が、表示装置３０２の左隣に隣接する物理位置に設置されるという固定の配置関係が前提でためである。そのため、携帯電話の様に情報処理装置の物理位置が変化するケースでは、３１１の様に表示オブジェクトが３０１、３０２の実際の物理位置の関係にそぐわない表示となってしまう。
【０００９】
つまり、情報処理装置の物理位置が変化するケースにおいて、３１２の様な、実際の位置関係に即した２つの表示装置の画面をまたいだ表示オブジェクトの表示、またはそれに伴う視覚効果表現する事が難しいという課題を有していた。
【００１０】
本発明は、上記従来の課題を解決するもので、２つの情報処理装置の物理位置関係に即した画面をまたぐＧＵＩ表示を提供する事より、ユーザに対し直感的（物理的な位置を意識した）操作感を実現する事を目的とする。
【課題を解決するための手段】
【００１１】
前記従来の課題を解決するために、本発明の情報処理装置は、自身の位置に関する情報や他の物体や装置との相対的な位置、姿勢に関する情報である情報送信装置位置情報と、前記情報送信装置位置情報を送信する情報送信装置の情報送信装置位置情報を受信する情報処理装置であって、前記情報送信装置位置情報の取得を指示する指示部と、前記情報送信装置位置情報を前記情報送信装置から取得する事を決定する情報処理装置決定部と、ウィンドウおよびウィンドウの内部に表示される表示物である表示オブジェクトと、前記表示オブジェクトを表示する画面を持つ表示部と、前記表示部が取得する、前記表示部の位置に関する情報もしくは、他の物体や装置との相対的な位置や姿勢に関する情報を取得する取得部と、前記取得部が取得する表示部位置情報と、前記情報送信装置を含む他の情報処理装置と通信をする通信部と、前記表示部位置情報と前記通信部より取得した前記情報送信装置位置情報を管理する位置管理部と、前記表示部位置情報と前記情報送信装置位置情報から前記表示オブジェクトが前記表示装部の画面外から現れる出現座標を決定する境界座標決定部と、を備える。
【００１２】
本構成によって、各表示装置の位置関係を考慮した、表示装置をまたがった表示ができることができる。
【発明の効果】
【００１３】
本発明によれば、各情報処理装置が保持する表示装置の位置関係を考慮して表示装置の画面をまたいだ表示を実現できる。特に情報処理装置間でのデータの送受信において、表示装置をまたいだＧＵＩ移動表示により、通信元の情報処理装置と、通信相手の情報処理装置の位置関係を視覚的に表しユーザに対し操作性を向上する事ができる。
【発明を実施するための最良の形態】
【００１４】
以下本発明の実施の形態について、図面を用いて説明する。
【００１５】
（実施の形態）
まず、本発明での通信元と通信相手の情報処理装置において、情報処理装置が保持する表示装置の物理的な位置関係に即し、表示画面をまたぐＧＵＩ表示例を図４に示す。
【００１６】
図４において４０１、４０２、４０３、４０４は、時間的に４つの段階におけるＧＵＩ移動の表示例を示している。４０１内の実線と点線で描かれた縦長の長方形は、それぞれ、通信元と通信相手の情報処理装置が保持する表示装置の画面を表す。実線で表記した部分、通信元の情報処理装置の画面を表し、点線で表記した部分を通信相手の情報処理装置の画面を表すものとする。なお、４０２〜４０４内での実線、点線の長方形で描かれた部分も、同様に情報処理装置の表示画面を表すものとし説明は省略する。４０５、４０６はそれぞれ、通信元、通信相手の情報処理装置が出力する表示画面上に表示されるアイコン画像といった表示オブジェクトＡ、Ｂを表わす。４０１〜４０４は時間の経緯毎の表示画面の例を示すものである事から、４０２、４０３上の円（斜線表記）は、４０５と同じ表示オブジェクトＡであり、４０４上の四角（水平線表記）は、４０６と同じ表示オブジェクトＢを表す。次に、４０１〜４０４の時間経緯毎の表示内容について説明する。
【００１７】
（表示例１：４０１の表示例）
通信元と通信相手は互いに自身の位置に関する情報、または、他の物体や装置との相対的な距離、姿勢に関する位置情報をやり取りする。これにより情報処理装置間のＧＵＩ移動を実現する。情報処理装置間でＧＵＩ移動を行う場合、通信元、通信相手それぞれの表示画面内で境界となる座標を決定する必要がある。４０１において４０７で示す地点が境界となる座標を表す。通信元の表示画面において、４０７の示す地点の座標を消失座標とする。つまり表示オブジェクトＡ４０５が情報処理装置間ＧＵＩ移動の目標とする座標である。
【００１８】
一方、通信相手の表示画面では、４０６の示す地点を出現座標とする。つまり、ＧＵＩ移動してきた結果、通信相手側の表示画面に初めて表示オブジェクトＢ４０６が表示され座標点である。
【００１９】
（表示例２：４０２の表示例）
通信元の表示画面上に表示される表示オブジェクト４０５は、消失座標に向けて移動表示され、通信相手の表示画面の方向へ４０５が移動する。
【００２０】
（表示例３：４０３の表示例）
やがて、４０５は通信元の表示画面から出ていく。それに合わせて、通信相手の表示画面には表示オブジェクトＢ４０６が、出現座標から現れる。
【００２１】
（表示例４：４０４の表示例）
出現座標から現れた４０６は、最終的に配置される配置座標まで移動表示を行なう。
【００２２】
以上の様に、情報処理装置の位置関係に即した表示装置をまたいだＧＵＩ表示がなされる。また、本発明では、情報処理装置間の表示装置における画面サイズのギャップを考慮した視覚効果をも実現する。
【００２３】
図５は、本発明の実施の形態における情報処理装置の構成の一例を示すブロック図である。ブロック図の矢印の方向は、ユーザが操作する情報処理装置から、他の情報処理装置に動画、静止画、音楽ファイル等のデータをやりとりするケースにおける情報処理装置間ＧＵＩ移動処理の流れを示している。
【００２４】
図５において、情報送信装置５００は、情報処理装置間のＧＵＩ移動を行なう際に、やり取りする情報の送信側の装置である。情報受信装置５２０は５００と情報処理装置間ＧＵＩ移動を行なう際に、通信相手となる装置である。指示部５０１は、キーやボタン、マウス等の入力装置によるユーザからの入力や、電話着信やメール着信などの外部からのイベント、また、本発明の情報処理装置を備えた装置の任意のアプリケーションが出す命令などを受け取り、情報処理装置間ＧＵＩ移動を行なう為の指示を出力する。
【００２５】
機器決定部５０２は、支持部により情報処理装置間ＧＵＩ移動の指示が通知されると、ＧＵＩ移動を行なうために通信相手の位置情報を通信部５０３から取得し、相手の情報処理装置を特定する。通信部５０３は、他の情報処理装置と通信を行ない、データの送受信をおこなう。通信手段は、ケーブル接続など、情報処理装置同士が物理的につながった有線通信や、電波による無線通信でもよい。また、５２０が備える通信部５２３も５０３と同様の機能を備えるものである。
【００２６】
位置管理部５０４は、情報処理装置間ＧＵＩ移動行なう為に必要な、自情報処理装置と相手情報処理装置の位置情報を管理する。自情報処理装置の位置情報は、取得部５０７より５０５の画面サイズを取得し、相手情報処理装置の位置座標は情報処理装置決定部５０２より通知される。また、５２０が備える位置管理部５２４も同等の機能を備えるものである。
【００２７】
表示部５０５は、ＣＲＴや液晶などの表示装置であり、情報処理装置間ＧＵＩ移動の対象となる表示オブジェクトが表する。
【００２８】
画面サイズ管理部５０６は５００が備える５０５の画面サイズ情報を管理する。また、５２０、つまり通信相手が備える表示部５２５の画面サイズも管理する。また、５２０が備える画面サイズ管理部５２６も同様の機能を有するものである。
【００２９】
取得部５０７は、ＧＰＳ、光センサ、音センサといった入力装置により自身の位置情報または、距離方向などある物体や装置との相対的な位置や姿勢を表す情報を取得し、５０４に位置情報を返却する。さらに、５０６は５０５の画面サイズも取得する機能を有する。また、５２０の構成要素である表示部５２５も同様の機能備えるものである。境界座標決定部５０８は、５０４が管理する自情報処理装置と相手情報処理装置の位置情報を取得して、５０５にＧＵＩ移動表示を行なう場合の目標座標となる消失座標を決定する。
【００３０】
消失座標については、図４ですでに説明した様に、４０６が消失座標となる。つまり、ＧＵＩ移動が始まると、送信データを表す表示オブジェクト（４０１内の斜線で塗りつぶされた円）が消失座標４０６を目標座標として、移動表示され４０２のように移動することになる。消失座標の決定方法については具体例をしめして、後に説明する。また、５２０が備える境界座標決定部５２８も同様の機能を有する構成要素である。しかし、５２０においては、前記消失座標は、図４の４０３の様に、送信されてきたデータを表す表示オブジェクト（横線で塗りつぶされた四角形）が表示され始める出現座標として決定される点が異なる。
【００３１】
表示サイズ決定部５０９は前記画面サイズ管理部５０６から５０５の画面サイズと、５２０が備える５２５の画面サイズが通知される。取得した５０５と５２５の画面サイズから前記消失座標での表示オブジェクトの表示サイズを算出する。また、情報受信装置５２０が備える表示サイズ決定部５２９も同様の機能を有するものとする。
【００３２】
表示効果決定部５１０は境界座標決定部５０８で決定される消失座標を目標点として５０５に表示する表示オブジェクトの座標を決定し、移動表示制御をおこなう。
【００３３】
消失検知部５１１は、移動表示される表示オブジェクトが、５０５の画面外へ出た事を、５２０に対して通知し、同期表示を指示する。同期表示指示について、図４を用いて説明する。
【００３４】
図４の４０２の様に、表示オブジェクト４０６（斜線で塗りつぶされた円）の消失座標を目標座標として移動表示されている。やがて、表示オブジェクトは、表示画面端に到達し、４０３の様に一部が画面外へ出た様な表示になる。この際、データ受信側の表示装置画面上では、送信されてきたデータを示す表示オブジェクト（横線で塗りつぶされた四角形）を表示する必要があり、この様な同期表示を実現する為に、消失検知部５１１は５２０に対し同期通知を行なう。通知は、通信部５０３を用いて通知される。情報受信装置５２０が備える同期検知部５３１は、前記消失検知部５１１からの同期表示指示をうけとり、表示効果決定部５３０に対し表示要求を通知する。
【００３５】
以降の説明では、基本となる動作の詳細を図６に示すフローチャートを用いて説明する。
【００３６】
（動作１：位置情報送信装置消失座標決定処理）
まず情報処理装置間での表示装置の位置情報取得動作にについて説明する。
【００３７】
位置情報の取得は、表示画面をまたぐＧＵＩ移動を行なう場合に、情報受信側の表示装置画面上におけるＧＵＩの移動方向、移動目標点となる消失座標、および情報送信側の消失座標を決定する為に必要である。
【００３８】
Ｓ６０１において、指示部５０１は、情報処理装置間のＧＵＩ移動を行なう為の指示を受取る。
【００３９】
次にＳ６０２において、機器決定部５０２は、ＧＵＩ移動を行なう情報処理装置を特定し、位置管理部５０４に対して、Ｓ６０２で取得した通信相手の情報処理装置の位置情報と画面サイズ情報を通知する。ここで情報処理装置を特定は、ユーザ操作によって決してもよい。また、情報処理装置間での通信等を利用して決定してもよい。さらに、携帯端末を用いてＧＵＩ移動を行なう場合は、携帯端末の先端を通信相手情報処理装置に向けて、先端方向にある情報処理装置を通信相手と決定してもよい。さらに、通信部５０３を用いて、ブロードキャスト等で周辺情報処理装置に対してメッセージを投げかけ、返答があった情報処理装置の位置情報と、画面サイズ情報を取得し、最も近くに存在する情報処理装置など、特定の位置に存在する情報処理装置を通信相手と決定してもよい。いずれもこの実施の形態に限定されるものではない。
【００４０】
なお、位置情報はＧＰＳ等のセンサから取得される３次元座標位置を表すデータや、光センサ、音波センサ、磁気センサなど直接座標位置を取得するものではないが、距離や、姿勢情報を取得し、それら単独もしくは複数の情報を操作する事により、位置を決定または、推定できるものであればよい。
【００４１】
次にＳ６０３において、通信相手の位置情報を受取った位置管理部５０４は、自情報処理装置の位置情報の取得を行なう。位置管理部５０４はＣＲＴや液晶などの表示装置である取得部５０７に対して、表示装置の位置を取得する様に通知を出す。取得部５０７は、ＧＰＳ、光センサ、音センサといった入力装置により自情報処理装置の位置情報または、距離方向などある物体や装置との相対的な位置や姿勢を表す情報を取得し、５０４に位置情報を返却する。
【００４２】
また、位置管理部５０４はＳ６０２で取得した画面表示サイズを画面サイズ管理部５０６に通知する。
【００４３】
次にＳ６０４において、自情報処理装置の画面サイズ情報を画面サイズ管理部５０６より取得する。取得した自情報処理装置が保持する表示装置の画面サイズ情報は画面サイズ管理部５０６で保持するが、通信相手５２０に通知するために位置管理部５０４に返却する。
【００４４】
次にＳ６０５において、Ｓ６０３、Ｓ６０４で取得した自情報処理装置の位置情報および、画面サイズ情報を通信部５０３から通信相手に通知する。
【００４５】
次にＳ６０６−１において、情報送信装置５００が備える表示部５０５上に表示する表示オブジェクトが情報処理装置間ＧＵＩ移動における目標座標となる消失座標を決定する。Ｓ５０１，Ｓ５０２で取得した自身の表示部位置情報と通信相手の位置情報は、位置管理部５０４により、境界座標決定部５０８に通知され、消失座標が算出される。例えば、取得部５０７から取得される表示部５０５の位置情報が３次元であった場合の消失座標の決定方法を図７で説明する。
【００４６】
まず、情報送信装置５００と情報受信装置５２０が配置される３次元空間７００あり、情報送信装置５００が備える表示部５０５の中心位置を示す三次元情報Ａである７０１と、情報受信装置５２０が備える表示部５２５の中心位置を示す三次元情報Ｂである７０２があるとする。これらの７０１、７０２は、座標計算の為に、５００と５２０を含む二次元仮想空間７１０上の座標７１１、お呼び７１２に射影される。その２次元仮想空間７１０上において、７１１と７１２を結ぶ直線を求め、７１１つまり、情報送信装置５００が保持する表示部５０５の画面７１３との交点を消失座標７１４と決定する。
【００４７】
なお、二次元仮想空間７１０上の消失座標７１４を決定するために用いるデータは、情報送信装置５００、情報受信装置５２０が備える表示部５０５、５２５の位置情報が通信相手との方向に関する情報でもよい。
【００４８】
また、表示部５０５、５２５の位置情報が通信相手との距離、姿勢に関する情報でもよい。つまり、情報送信装置５００と情報受信装置５２０間の方向、距離を決定もしくは推測できる単一のデータ、または、各データの組み合わせであればよく、本実施の形態に限定されるものではない。さらに、表示部５０５、５２５の位置情報は、周囲における絶対的な位置情報であっても、また、表示部５０５、５２５の位置情報は、通信相手との相対的な位置情報であってもよい。さらに、位置情報は本発明である情報処理装置が保持する表示部の中心位置である必要はない。例えば、情報発信、受信装置がそれぞれ表示部と一体型となっており、表示部と他の構成要素が物理的に同じ場所に存在するときは、情報発信、受信装置の位置情報を示すものであればよく、本実施の形態に限定されるものではない。
【００４９】
さらに、本実施の形態における仮想二次元空間上での各情報送信装置５００、情報受信装置５２０を結ぶ直線と表示画面との交点による消失座標および出現座標の決定方法は一例であり、その算出方法は、本実施の形態に限定されるものでない。
【００５０】
一方、自情報処理装置の画面サイズ情報と、通信相手の画面サイズ情報は、表示サイズ決定部５０９に通知され、前記消失座標での表示オブジェクトの表示サイズを算出する。例えば、５０５の画面サイズと５２５の画面サイズの比を求め、表示する表示オブジェクトのサイズとの積を求める事で、前記消失座標での表示オブジェクトサイズを決定する。ここで、５０５の画面サイズが５２５の画面サイズより小さい時は表示オブジェクトの消失座標での表示サイズは拡大方向となるし、５０５が５２５より画面サイズが大きいときは、表示オブジェクトのサイズは逆に縮小方向となる。
【００５１】
なお、表示サイズの決定方法は一例であり、本実施の形態に限定されるものではない。
【００５２】
次にＳ６０６−２において、Ｓ６０６−１とは逆にＧＵＩ移動における、情報受信装置５２０側の画面に初めて表示される時の出現座標および、出現座標での表示オブジェクトの表示サイズを求める。出現座標、および表示オブジェクトの表示サイズの算出方法は、Ｓ６０６−１と同様の方法で算出される。ここで算出された、出現座標と、表示サイズは表示効果決定部５３０に対して通知される。
【００５３】
（動作２：情報送信装置内での表示オブジェクト消失検知）
動作１のＳ６０６−１の次に、Ｓ６０７において、算出した消失座標は、境界座標決定部５０８から、また、表示オブジェクトの表示サイズは表示サイズ決定部５０９から表示効果決定部５１０へ通知される。そして、５１０は消失座標へ向けて、表示オブジェクトの移動表示制御を行なう為に、次に表示する座標の算出を行なう。この時、移動方法は、直線移動や曲線移動など任意の効果を用いる事が可能である。また、表示部５０５の画面上の隣接するドットに沿って連続に移動させる事や、複数個のドットを飛ばして表示させる非連続移動表示も可能である。また、表示オブジェクトの表示サイズにおいても、算出された表示サイズに応じて、表示オブジェクトに拡大縮小処理が行なわれる。
【００５４】
なお、画面サイズによる表示サイズの決定および表示オブジェクトの拡大縮小表示は、情報処理装置間の表示画面をまたぐＧＵＩ移動において、さらなる表現効果を加えたものであり、必ずしも必要とするものではなく、必要に応じて組み合わせて使用してもよい。また、透過表示といった他の表示効果と組み合わせて使用してもよい。
【００５５】
次にＳ６０８において、移動する表示オブジェクトが画面外へ出たか否かを判定する。表示効果決定部５１０により決定された表示座標は、消失検知部５１１に通知される。５１０により制御される表示オブジェクトが表示部５０５の画面内にあるときは、Ｓ６０８を繰り返す。次にＳ６０９において、移動表示が進み、やがて表示オブジェクトが５０５の画面外へ出る事を消失検知部５１１が検知すると、表示部５０５に対して同期表示の指示を通知する。次にＳ６１０−１において、再び表示オブジェクトが消失座標に向けて移動表示がおこなわれ、Ｓ６１１−１で表示オブジェクトが消失座標に達するまで繰り返し移動表示を行ない終了する。
【００５６】
一方Ｓ６１０−２において、情報送信装置５００が備える消失検知部５１１からの同期表示の指示を情報受信装置５２０が備える通信部５２３が受信すると、通信部５２３は、同期表示決定部５３１に対して同期表示要求を送信する。５３１は同期表示要求を取得すると、表示効果決定部５３０に表示オブジェクト表示を指示する。
【００５７】
次にＳ６１１−２において、表示効果決定部５３０はＳ６０６−２で算出した出現座標と、表示サイズより、表示する表示オブジェクトの表示部５２５上に表示させる位置お呼びサイズをＳ６１０−１と同様の方法で決定し、表示オブジェクトが５２５上の目標座標、例えば、５２５の中心座標に達すまで移動表示をおこなう。この様に情報送信装置５００の画面外へ出る表示オブジェクトに同期して、自身の保有する表示装置情に表示オブジェクトを出現させる事を実現する。
【００５８】
また、同期処理については、一定周期ごとに通信を行なってもよい。また、同期表本発明の情報処理装置に搭載されるアプリケーションが出す命令やイベント、表示装置上の表示オブジェクトに関する情報を利用してもよい。
【００５９】
以上により、情報処理装置間における表示画面をまたぐＧＵＩ移動表示を同期して実現する事ができる。
【００６０】
なお、この実施の形態では情報送信、受信装置の位置が動的に変化する移動端末としているが、情報送信および、受信装置が通常位置変化しない静的なものであっても、情報処理装置間の表示画面をまたぐＧＵＩ移動は同様の効果を示すものであり、適用がこの実施の形態に限定されるものではない。
【００６１】
上記実施の形態における情報処理装置は、情報処理方法、情報処理プログラム、情報処理プログラムを記録した記録媒体、単一の半導体基板に作り込んだＬＳＩ（Ｌａｒｇｅ  Ｓｃａｌｅ  Ｉｎｔｅｇｒａｔｅｄ  ｃｉｒｃｕｉｔ）等の集積回路として構成されてもよい。
【産業上の利用可能性】
【００６２】
本発明である情報処理装置は、通信元の情報処理装置と、通信先の情報処理装置の物理的な位置関係に即し、表示画面をまたいだＧＵＩ移動表示が可能であり、ユーザに対し直感的（物理的な位置を意識した）操作を提供できるという効果を有し、携帯電話を初めとする携帯情報処理端末と他情報処理装置間で連携を行なうシステムにおいて有用である。またデジタルカメラや車載情報処理装置などの用途にも応用できると考える。
【図面の簡単な説明】
【００６３】
【図１】従来の表示装置における表示の一例を示す図
【図２】従来の表示装置における構成を示す図
【図３】従来の表示装置における表示画面の一例を示す図
【図４】本発明の情報処理装置における表示画面の一例を示す図
【図５】本発明の情報処理装置における構成の一例を示すブロック図
【図６】本発明の情報処理装置における処理フローの一例を示すフローチャート
【図７】本発明の情報処理装置における座標決定処理の一例を示す図
【符号の説明】
【００６４】
５００    情報送信装置
５０１    指示部
５０２    機器決定部
５０３    通信部
５０４    位置管理部
５０５    表示部
５０６    画面サイズ管理部
５０７    取得部
５０８    境界座標決定部
５０９    表示サイズ決定部
５１０    表示効果決定部
５１１    消失検知部
５２０    情報受信装置
５２３    通信部
５２４    位置管理部
５２５    表示部
５２６    画面サイズ管理部
５２７    取得部
５２８    境界座標決定部
５２９    表示サイズ決定部
５３０    表示効果決定部
５３１    同期検知部
【図１】
2009288839.tif 000003
【図２】
2009288839.tif 000004
【図３】
2009288839.tif 000005
【図４】
2009288839.tif 000006
【図５】
2009288839.tif 000007
【図６】
2009288839.tif 000008
【図７】
2009288839.tif 000009